(57)【要約】【課題】ＨＴＭＬページにＢＭＬページへのリンクを埋め込むことなく、データ放送のＢＭＬページからＨＴＭＬページを呼び出し、さらに関連するＨＴＭＬページを閲覧している場合、元のＢＭＬページに遷移するよう制御することができ、放送局の意図しないＨＴＭＬページから放送データにアクセスされることを防ぐ放送波受信装置を提供する。【解決手段】ＢＭＬブラウザからＨＴＭＬブラウザを起動する際にＵＲＩ情報を保存し、ＨＴＭＬブラウザの表示履歴に応じて、ＢＭＬブラウザを再度起動した際に表示するＵＲＩを選択する。【選択図】図１
2010251886.tif 000002
【特許請求の範囲】
【請求項１】
データ放送情報を含む放送波を受信する放送波受信装置であって、
前記データ放送情報を取得する取得手段と、
前記データ放送情報を基に表示データを生成する第１のブラウザと、
前記データ放送情報に記述されたリンク先情報に基づいて起動され、前記リンク先情報で示されるＨＴＭＬデータを基に表示データを生成する第２のブラウザと、
前記データ放送情報を一意に特定するＵＲＩを蓄積するＵＲＩ蓄積手段と、を有し、
前記第１のブラウザは、第２のブラウザが終了した場合、前記第２のブラウザの表示履歴に応じて、前記ＵＲＩ情報で示されるデータ放送情報を表示するか否かを選択する、
放送波受信装置。
【請求項２】
前記ＵＲＩの適用条件を蓄積する適用条件蓄積手段を有し、
前記第１のブラウザは、第２のブラウザが終了した場合、前記第２のブラウザの表示履歴と前記適用条件に基づいて、前記ＵＲＩ情報で示されるデータ放送情報を表示するか否かを選択する、
請求項１記載の放送波受信装置。
【請求項３】
前記適用条件は前記データ放送情報で指定される前記リンク先のドメイン情報を含み、
前記第２のブラウザの表示履歴は前記第２のブラウザが表示したページの履歴情報を含む、
請求項２記載の放送波受信装置。
【請求項４】
前記適用条件は制限時刻を含み、
前記第２のブラウザの表示履歴は前記第２のブラウザが終了した時刻を含む、
請求項２記載の放送波受信装置。
【請求項５】
前記データ放送情報のバージョン番号を蓄積するバージョン番号蓄積手段と、
前記データ放送情報を蓄積するデータ放送情報蓄積手段とを有し、
前記第２のブラウザは前記放送波に含まれる前記データ放送のバージョン番号が前記バージョン番号蓄積手段から読み出したバージョン番号と一致した場合は前記データ放送情報蓄積手段から読み出した前記データ放送情報を表示する、
請求項１から４のいずれかに記載の放送波受信装置。
【発明の詳細な説明】
【技術分野】
【０００１】
本発明は、デジタル放送におけるデータ放送の応用技術に関する。
【背景技術】
【０００２】
近年、デジタル放送のデータ放送により、従来の映像以外に多彩なサービスを提供できるようになってきている。一方、ＨＴＭＬを使ったインターネット上のＷｅｂサービスも急速に進展しており、データ放送のＢＭＬページから、関連するインターネット上のＨＴＭＬページ（放送局のサイトなど）を呼び出す、新しい放送・通信連携サービスが検討されている。
【０００３】
この場合、ＢＭＬページからＨＴＭＬに遷移し、ＨＴＭＬページの閲覧を終了した後は、元のＢＭＬページに自動的に遷移することが想定される。しかしながら、放送局と無関係のサイトのＨＴＭＬページから、データ放送や放送映像などの放送コンテンツを表示するＢＭＬページに勝手に遷移されないように、放送局が意図したＨＴＭＬページからのみＢＭＬページに遷移できるよう制限することが必要である。
【０００４】
従来の技術を用いて、呼び出し元のページによってアクセスを制限する方法として、特許文献１のような方法がある。この方法によれば、ページ遷移によって新たな表示データを要求する際に、ＨＴＴＰプロトコルのＲｅｆｅｒｅｒヘッダによって遷移元のＨＴＭＬページのＵＲＩ（Ｕｎｉｆｏｒｍ  Ｒｅｓｏｕｒｃｅ  Ｉｄｅｎｔｉｆｉｅｒ）を指定し、サーバ側ではＲｅｆｅｒｅｒが所定のＵＲＩである場合にのみ要求されたデータを返送することにより、許可されないページからの遷移を制限することができる。
【先行技術文献】
【特許文献】
【０００５】
【特許文献１】特開２００３−６７２９１号公報
【発明の概要】
【発明が解決しようとする課題】
【０００６】
しかしながら、特許文献１に記載される方法を放送・通信連携サービスに適用した場合、ＢＭＬページからＨＴＭＬページに遷移後、再度ＢＭＬページに戻る際に、ＢＭＬページの再表示を所定のＨＴＭＬページからの遷移時のみに制限することができる。しかし、最初にＢＭＬページを表示しない場合でも、ＨＴＭＬページから遷移する場合は必ずＢＭＬページに遷移してしまう。そのため、データ放送のＢＭＬページからＨＴＭＬページを呼び出した場合のみ、再度、遷移元のＢＭＬページに戻ることができるようにするという課題がある。
【０００７】
また、従来技術を用いてアクセス制限を実現するためには、ＢＭＬページに戻る動作を希望するすべてのＨＴＭＬページにＢＭＬページへのリンクを埋め込む必要があるという課題があった。どのＢＭＬページから遷移した場合でも元のＢＭＬページに戻ることができるようにするためには、細かいページ作りが必要であり手間がかかる。また、ＢＭＬページへのリンクを埋め込む必要があることから、通常のインターネット上のＷｅｂサービスのためのＨＴＭＬページとは別に、放送連携サービスのための専用のＨＴＭＬページを作成する必要がある。
【０００８】
本発明は、上記のような問題を解決することを目的とする。
【課題を解決するための手段】
【０００９】
本発明の放送波受信装置は、放送局から送信されるデータ放送情報を含む放送波を受信する放送波受信装置であって、前記データ放送情報を取得する取得手段と、前記データ放送情報を基に表示データを生成する第１のブラウザと、前記データ放送情報に記述されたリンク先情報に基づいて起動され、前記リンク先情報で示されるＨＴＭＬデータを基に表示データを生成する第２のブラウザと、前記データ放送情報を一意に特定するＵＲＩを蓄積するＵＲＩ蓄積手段とを有し、前記第１のブラウザは、第２のブラウザが終了した場合、前記第２のブラウザの表示履歴に応じて、前記ＵＲＩ情報で示されるデータ放送情報を表示するか否かを選択するとしたものである。これにより、ＨＴＭＬデータにデータ放送へのリンクを埋め込むことなく、第２のブラウザから第１のブラウザに切り替えた際に表示する内容を制御することができる。
【００１０】
また、更に、前記ＵＲＩの適用条件を蓄積する適用条件蓄積手段を有し、前記第１のブラウザは、第２のブラウザが終了した場合、前記第２のブラウザの表示履歴と前記適用条件に基づいて、前記ＵＲＩ情報で示されるデータ放送情報を表示するか否かを選択する構成としたものである。これにより、第２のブラウザから第１のブラウザに切り換えた際に表示する内容を更に細かく制御することができる。
【００１１】
更に、前記適用条件は前記データ放送情報で指定される前記リンク先のドメイン情報を含み、前記第２のブラウザの表示履歴は前記第２のブラウザが表示したページの履歴情報を含む構成としたものである。これにより、第２のブラウザが所定の範囲内のページを表示した場合のみ、前記ＵＲＩで示されるページを再表示することができる。
【００１２】
更に、前記適用条件は制限時刻を含み、前記第２のブラウザの表示履歴は前記第２のブラウザが終了した時刻を含む構成としたものである。これにより、データ放送のページが更新された場合に、想定しないページを表示することを避けることができる。
【００１３】
更に、前記データ放送情報のバージョン番号を蓄積するバージョン番号蓄積手段と、
前記データ放送情報を蓄積するデータ放送情報蓄積手段とを有し、前記第２のブラウザは前記放送波に含まれる前記データ放送のバージョン番号が前記バージョン番号蓄積手段から読み出したバージョン番号と一致した場合は前期データ放送情報蓄積手段から読み出した前記データ放送情報を表示する構成としたものである。これにより、前記ＵＲＩで示されるページを表示する際の時間を短縮することができる。
【発明の効果】
【００１４】
本発明の表示装置は、ＨＴＭＬページにＢＭＬページへのリンクを埋め込むことなく、データ放送のＢＭＬページからＨＴＭＬページを呼び出し、さらに関連するＨＴＭＬページを閲覧している場合、元のＢＭＬページに遷移するよう制御することができ、放送局の意図しないＨＴＭＬページから放送データにアクセスされることを防ぐことができる。
【図面の簡単な説明】
【００１５】
【図１】本発明の実施の形態１における放送波受信装置１００の構成を示す図
【図２】本発明の実施の形態１における放送波受信装置１００を用いた放送システムの具体例を示す図
【図３】本発明の実施の形態１におけるＢＭＬページを表示中にＨＴＭＬページへのリンクを選択した場合の動作を示すフローチャート
【図４】本発明の実施の形態１におけるＨＴＭＬブラウザを終了した場合の動作を示すフローチャート
【図５】本発明の実施の形態１における有効ドメインの指定例を示す図
【図６】本発明の実施の形態１におけるＢＭＬファイルの一例を示す図
【発明を実施するための形態】
【００１６】
以下、本発明の実施をするための最良の形態を具体的に示した実施の形態について、図面を参照して説明する。
【００１７】
（実施の形態１）
以下、本発明の実施の形態１における放送波受信装置１００について図面を参照しながら説明する。
【００１８】
図１は、本発明の実施の形態１における放送波受信装置１００の構成を示す。本実施の形態１における放送波受信装置１００は、放送チューナ１１１、通信インタフェース部１１２、多重分離部１１３、放送選局部１１４、ＢＭＬブラウザ部１１５、履歴管理部１１６、ＨＴＭＬブラウザ部１１７、蓄積部１１８、映像・音声デコーダ部１１９、表示部１２０から構成される。
【００１９】
放送チューナ１１１は、放送局から放送されるデジタル放送波を受信し、映像やデータ放送などを含む放送ストリームを抽出する。そして、抽出した放送ストリームを、多重分離部１１３に出力する。
【００２０】
通信インタフェース部１１２は、外部のサーバ等とＴＣＰ／ＩＰによる通信を行う。
【００２１】
多重分離部１１３は、放送チューナ１１１が抽出した放送ストリームに多重されている映像データやデータ放送のデータであるＢＭＬデータを分離する。そして、分離したデータのうち、映像データを映像・音声デコーダ部１１９に出力し、ＢＭＬデータをＢＭＬブラウザ１１５に出力する。なお、ＢＭＬデータは、当該ＢＭＬデータと関連するＨＴＭＬページの範囲を示す有効ドメイン、制限時刻、バージョン番号等のメタデータを含む。
【００２２】
放送選局部１１４は、放送チューナ１１１、多重分離部１１３及び、履歴管理部１１６を制御して所望の放送ストリームを選択する。具体的には、放送波受信装置１００の使用者が押圧操作可能なボタン等で構成される。
【００２３】
ＢＭＬブラウザ部１１５は、多重分離部１１３が抽出したＢＭＬデータに含まれるＢＭＬファイルや画像ファイルなどからＢＭＬページの表示データを構成する。構成した表示データは表示部１２０に出力される。また、ＢＭＬブラウザ部１１５は、ＢＭＬデータが有するメタデータに有効ドメインが含まれているか否かを判定する。
【００２４】
履歴管理部１１６は、放送選局部が選局した放送チャンネル、及び、ＨＴＭＬブラウザが表示したＨＴＭＬページの履歴を時系列順に管理する。
【００２５】
ＨＴＭＬブラウザ部１１７は、通信インタフェースを用いてＨＴＭＬサーバ２０３から取得したＨＴＭＬファイルや画像データなどによってＨＴＭＬページの表示データを構成する。
【００２６】
蓄積部１１８は、放送チャンネルごとに区切られた領域を持ち、ＢＭＬブラウザ１１５によってＭＢＬデータ等を記憶する。
【００２７】
映像・音声デコーダ部１１９は、多重分離部が抽出した映像データ（音声を含む）をデコードする。
【００２８】
表示部１２０は、映像・音声デコーダ１１９、ＢＭＬブラウザ１１５、ＨＴＭＬブラウザ１１７が構成した画面データを画面に表示する。
【００２９】
次に、放送波受信装置１００における受信動作に関して図面を参照しながら説明する。
【００３０】
図２は、本実施の形態１における放送波受信装置１００を用いた放送システムの具体例を示す。本実施の形態１における放送システムは、放送局２０１と、ＨＴＭＬサーバ２０３を備える。
【００３１】
放送局２０１は、映像やデータ放送等を含む放送ストリームを変調し、送信アンテナ２１１から放送波として送信する。
【００３２】
ＨＴＭＬサーバ２０３は、ＨＴＭＬファイルや画像ファイル等を含むＨＴＭＬページのデータを保持し、表示装置１００からの要求によって、ネットワーク２２０を介して、表示装置１００に送信する。
【００３３】
上記のように構成された放送波受信装置１００は、放送チューナ１１１において受信したデジタル放送波のうち、放送選局部１１４において選局した放送チャンネルに係る放送波を、映像・音声デコーダ１１９においてデコードし、得られる映像及び、音声データを表示部１２０において表示又は、出力を行なう。
【００３４】
また、放送波受信装置１００は、放送チューナ１１１において受信したＢＭＬデータが有する自動起動フラグがオンになっている場合、ＢＭＬブラウザ１１５の起動を行なう。但し、デジタル放送波受信直後はＢＭＬブラウザ１１５の画面は表示されない場合が多い。この受信直後においては、放送波受信装置１００の遠隔制御を行なうリモコンのデータ放送起動ボタン（ｄボタン）の押下等によって、データ放送のＢＭＬページを表示する。なお、ユーザはＢＭＬページ表示中、ＢＭＬページ上中のリンクボタンをリモコンによって選択することにより、別のＢＭＬページ又は、ＨＴＭＬページに遷移させることができる。
【００３５】
以下、本実施の形態１における放送波受信装置１００の具体的な動作について図面を用いて説明する。
【００３６】
なお、放送波受信装置１００において受信を行なうデジタル放送波に含まれるＢＭＬデータを基にＢＭＬページ作成した場合、作成したＢＭＬページ上にはＨＴＭＬページへのリンクが埋め込まれており、ＨＴＭＬページのＵＲＩが記述されているものとする。
【００３７】
また、そのＢＭＬページと関連するＨＴＭＬページの範囲を示す有効ドメインを併せて記述可能である。有効ドメインの指定例を図５（ａ）〜（ｃ）に示す。同図（ａ）はｗｗｗ．ａａａ．ｂｂであるサイトの任意のページが有効ドメインであることを示す。（ｂ）はｗｗｗ．ａａａ．ｂｂであるサイトの、ｂｃというフォルダ以下のページを示す。（ｃ）はａａａ．ｂｂ内の任意のサイトの任意のページを示す。図６にＢＭＬファイルの一例を示す。この例では、リンク先のＨＴＭＬとしてｈｔｔｐ：／／ｗｗｗ．ａａａ．ｂｂ．ｃｃ／ｉｎｄｅｘ．ｈｔｍｌを、有効ドメインとしてｈｔｔｐ：／／ｗｗｗ．ａａａ．ｂｂ．ｃｃ／を、制限時刻として2008年8月27日の18:00を指定している。
【００３８】
図３は、ＢＭＬページを表示中にＨＴＭＬページへのリンクを選択した場合の動作を示すフローチャートである。
【００３９】
まず、放送波受信装置１００は、ユーザによるＢＭＬページ上に存在するＨＴＭＬページへのリンクボタンの選択動作を受け付ける（ステップ６０１）。そして、ステップ６０２に移行する。
【００４０】
次に、ＢＭＬブラウザ１１５は、蓄積部１１８の中の放送チャンネルごとに区切られた領域に、「戻り先ＵＲＩ」として現在のＢＭＬページのＵＲＩを保存する（ステップ６０２）。そして、ステップ６０３に移行する。
【００４１】
さらに、ＢＭＬブラウザ１１５は、ＢＭＬデータに有効ドメインの情報が含まれているかを判定する（ステップ６０３）。有効ドメインの情報が含まれている場合は、ステップ６０４に移行し、含まれていない場合は、ステップ６０５に移行する。
【００４２】
ステップ６０３において、有効ドメインが含まれていると判定した場合、ＢＭＬブラウザ１１５は、蓄積部１１８における放送チャンネルごとに区切られた領域に、ステップ６０２におけるＢＭＬページのＵＲＩと共に、該有効ドメインを保存する（ステップ６０４）。そして、ステップ６０５に移行する。
【００４３】
次に、ＢＭＬブラウザ１１５は、ＢＭＬデータに制限時刻が含まれているかを判定する（ステップ６０５）。制限時刻が含まれている場合は、ステップ６０６に移行し、含まれていない場合は、ステップ６０７に移行する。
【００４４】
ステップ６０５において、制限時刻が含まれていると判定した場合、ＢＭＬブラウザ１１５は、蓄積部１１８における放送チャンネルごとに区切られた領域に、ステップ６０２におけるＢＭＬページのＵＲＩと共に、該制限時刻を保存する（ステップ６０６）。そして、ステップ６０７に移行する。
【００４５】
更に、ＢＭＬブラウザ１１５は、現在のＢＭＬデータのバージョン番号を同様に保存するとともに、現在表示中のＢＭＬページのデータをキャッシュデータとして蓄積部１１８に保存する（ステップ６０７）。そして、ステップ６０８に移行する。
【００４６】
その後、指定されたＵＲＩを引数としてＨＴＭＬブラウザが起動し（ステップ６０８）、ＢＭＬブラウザは一旦終了する（ステップ６０９）。
【００４７】
ＨＴＭＬブラウザが起動すると、まず、指定されたＵＲＩのＨＴＭＬページが表示される。ユーザはリモコン操作により、別のＨＴＭＬページに遷移するなどの操作を行うことができる。ＨＴＭＬブラウザは、ＨＴＭＬページを表示するたびに、ＨＴＭＬページのＵＲＩを履歴管理部１１６に通知し、履歴管理部１１６は蓄積部１１８に保存する。
【００４８】
次に、図面を用いて放送波受信装置１００におけるＨＴＭＬブラウザの終了に関する動作について図面を参照しながら説明する。
【００４９】
図４は、図３の動作のあとにＨＴＭＬブラウザを終了した場合の動作を示すフローチャートである。
【００５０】
ユーザがＨＴＭＬ上のサービスを終了したい場合は、リモコン上のインターネットサービスを終了するためのボタン（例えば「ブラウザ終了」ボタンなど）が押されると、放送波受信装置１００は、ＨＴＭＬブラウザ１１７を終了させる（ステップ７０１）。
【００５１】
次に放送選局部１１４は、ＨＴＭＬブラウザ１１７起動前に最後に受信していた放送チャンネルの選局を開始する。このときＢＭＬブラウザ１１５が自動的に起動するが、ＢＭＬページの表示は行わないため、画面には映像のみが提示されることになる（ステップ７０２）。
【００５２】
次に、ＢＭＬブラウザ１１５は履歴管理部１１６に問い合わせ、履歴の最後サービス内容をチェックする（ステップ７０３）。履歴の最後のサービス内容が、放送チャンネルの場合、ステップ７２１に進み、放送チャンネルではない場合はステップ７０４に進む。
【００５３】
履歴の最後が放送チャンネルの場合については後述するとおり、ＢＭＬページの自動表示は行わず、そのまま動作を終了する（ステップ７２１）。
【００５４】
履歴の最後が放送チャンネルではない場合、ＢＭＬブラウザ１１５は、蓄積部１１８の放送チャンネルごとに割り当てられた領域に、戻り先ＵＲＩが記憶されているか否かを調べる（ステップ７０４）。戻り先ＲＵＩが記載されている場合はステップ７０５に進み、記載されていない場合はステップ７２１に進む。
【００５５】
戻り先ＵＲＩが記憶されている場合、ＢＭＬブラウザ１１５は、蓄積部１１８に有効ドメインが記憶されているか否かを調べる（ステップ７０５）。
【００５６】
蓄積部１１８に有効ドメインが記憶されている場合、ＢＭＬブラウザ１１５は、ステップ６０８でＨＴＭＬブラウザが起動してからステップ７０１で終了するまでのＨＴＭＬのＵＲＩの履歴がすべて有効ドメインの範囲内か否かを判別する（ステップ７０６）。履歴の全てが有効ドメインの範囲内である場合は、ステップ７０７に進み、有効ドメインの範囲外の情報が含まれている場合はステップ７２１に進む。なお、履歴に有効ドメインの範囲外の情報が含まれている場合は、ＢＭＬページから関連ＨＴＭＬページに遷移したあと、ユーザ操作により、ＢＭＬページとは関連しないＨＴＭＬページに遷移したことを示している。また、有効ドメインが指定されていない場合は、ステップ７０６の判別は行わない。
【００５７】
次に、ＢＭＬブラウザ１１５は、蓄積部１１８に制限時刻が記憶されているかを調べる（ステップ７０７）。制限時刻が蓄積されている場合はステップ７０８に進み、蓄積されていない場合はステップ７１０に進む。
【００５８】
さらに、制限時刻が記憶されている場合、ＢＭＬブラウザ１１５はブラウザ終了時刻が制限時刻を越えていないか判別する（ステップ７０８）。ブラウザ終了時刻が制限時刻を越えている場合は、ステップ７２１に進み、超えていない場合はステップ７１０に進む。なお、ブラウザ終了時刻と制限時刻の比較を行なうのは、データ放送は所定の時間間隔で更新される場合があるため、ＨＴＭＬページに遷移後、再びＢＭＬページに戻ってきたときに、想定しないＢＭＬページを自動表示してしまうことを避けるためである。
【００５９】
次に、ブラウザ終了時刻が制限時刻を越えていない場合、ＢＭＬブラウザ１１５は、放送波から現在のＢＭＬデータのバージョン番号を取得する（ステップ７１０）。
【００６０】
ＢＭＬブラウザ１１５は、ステップ７１０において取得したバージョン番号が、ステップ６０５で蓄積部１１８に記憶したバージョン番号と等しいか否かを判別する（ステップ７１１）。２つのバージョン情報が等しい場合、ステップ７１３に進み、異なる場合はステップ７１２に進む。
【００６１】
２つのバージョン情報が異なる場合、ＢＭＬブラウザ１１５は、放送ストリーム中のＢＭＬデータが更新されたことを示すため、改めて放送波からＢＭＬデータを取得する（ステップ７１２）。
【００６２】
そして、ＢＭＬブラウザ１１５は、取得したＢＭＬデータの表示を行なう（ステップ７２０）。
【００６３】
２つのバージョン番号が等しい場合、ＢＭＬブラウザ１１５は、蓄積部１１８に保存されているＢＭＬデータを読み出す（ステップ７１３）。そして、ステップ７２０に進む。
【００６４】
これにより、ＢＭＬデータが更新されていない場合は、表示までの時間を短縮することができる。
【００６５】
以上のような動作により、ＨＴＭＬページにＢＭＬページへのリンクを埋め込むことなく、データ放送のＢＭＬページからＨＴＭＬページを呼び出した場合で、かつ、関連するＨＴＭＬページを閲覧している間のみ、元のＢＭＬページに遷移するよう制御することができ、放送局の意図しないＨＴＭＬページから放送データにアクセスされることを防ぐことができる。
【００６６】
また、ＨＴＭＬページにＢＭＬページへのリンクを埋め込む必要がないため、通常のインターネット上のＷｅｂサービスのためのＨＴＭＬページと、放送連携サービスのためのＨＴＭＬページとして、同一のものを使うことができる。これは、インターネット上の既存のＷｅｂサービスを放送連携サービスに流用する場合にも有利である。
【００６７】
なおステップ７０１でＨＴＭＬブラウザを終了する要因としては、上述のようなブラウザ終了ボタンには限らない。例えば、放送波を選局するためのボタンを押した場合にＨＴＭＬブラウザを終了することが考えられる。例えば、「地上デジタル」／「ＢＳ」／「ＣＳ」などの放送切り替えボタンや、ダイレクト選局ボタン等が想定される。その場合、ＨＴＭＬブラウザ起動前に受信していた放送チャンネルＡと同じ放送チャンネルＡを選択した場合の動作は上記と同じであるが、別の放送チャンネルＢを選択し、その後に元の放送チャンネルＡを選局した場合の動作について説明する。この場合、蓄積部１１８の中のチャンネルＢに割り当てられた領域には戻り先ＵＲＩが保存されていない（ステップ７０４）。そのため、ＢＭＬページの自動表示は行わない（ステップ７２１）。次に、その後、ユーザがチャンネルＡを選局した場合は、履歴管理部１１６が管理する履歴の最後は放送チャンネル（チャンネルＢなど）になっているために（ステップ７０３）、ＢＭＬページの自動表示は行われない（ステップ７２０）。このとき、戻り先ＵＲＩの情報は削除される。
【００６８】
また、電源投入直後は、戻り先ＵＲＩ情報を削除する。これにより、ユーザが電源断操作によってＨＴＭＬブラウザを終了した場合は、次に電源投入したときに、戻り先ＵＲＩで示されるＢＭＬページの自動表示を抑制する。これは、ＨＴＭＬブラウザ閲覧中に一旦電源を断した場合、次回電源投入時に遷移元のＢＭＬページが自動表示されることにユーザが違和感を覚えることを避けるためである。
【００６９】
なお、ステップ７０６において、ＨＴＭＬブラウザ起動から終了までの履歴のすべてのＵＲＩに対し、有効ドメインに含まれているか否かを判別するとしたが、履歴の最後のＨＴＭＬのＵＲＩが有効ドメインに含まれているか否かによってのみ判断するとしてもよい。これにより判断のためにかかる時間を短縮することができる。
【産業上の利用可能性】
【００７０】
本発明の放送波受信装置は、デジタル放送のデータ放送サービスの拡張機能、特に、インターネットにおけるＨＴＭＬサービスを提供する装置として有用である。
【符号の説明】
【００７１】
１００  放送波受信装置
１１１  放送チューナ
１１２  通信インタフェース部
１１３  多重分離部
１１４  放送選局部
１１５  ＢＭＬブラウザ部
１１６  履歴管理部
１１７  ＨＴＭＬブラウザ部
１１８  蓄積部
１１９  映像・音声デコーダ部
１２０  表示部
２０１  放送局
２０３  ＨＴＭＬサーバ
２２０  ネットワーク
【図１】
2010251886.tif 000003
【図２】
2010251886.tif 000004
【図３】
2010251886.tif 000005
【図４】
2010251886.tif 000006
【図５】
2010251886.tif 000007
【図６】
2010251886.tif 000008